(57)【要約】【課題】体重計本体に、体重計本体に設けられている表示手段とは別に測定結果等を表示することのできる表示手段を備える携帯情報端末を組み合わせ、体重計本体で直接測定することのできる被検体の情報以外の情報については携帯情報端末において一括管理、表示させることで、被検体の個人情報に対するセキュリティを確保するとともに利便性にも配慮した体重体組成計を提供する。【解決手段】被検体の体重を測定するとともに測定された被検体の体重値を表示する体重計２と、体重計２で測定された体重値を受信し、体重値と予め記憶されている体重計では測定することのできない被検体に関する非測定情報とを基に被検体に関する体組成値を算出し表示する携帯情報端末３とを備える。【選択図】図５
2009165695.tif 000002
【特許請求の範囲】
【請求項１】
被検体の体重を測定するとともに測定された前記被検体の体重値を表示する体重計と、
前記体重計で測定された前記体重値を受信し、前記体重値と予め記憶されている前記体重計では測定することのできない前記被検体に関する非測定情報とを基に前記被検体に関する体組成値を算出し表示する携帯情報端末と、
を備えることを特徴とする体重体組成計。
【請求項２】
前記体重計は、被検体の両足間の生体インピーダンスを測定する電極を備えていることを特徴とする請求項１に記載の体重体組成計。
【請求項３】
前記携帯情報端末は、測定対象となる被検体が選択されたことにより前記測定情報の受信を開始することを特徴とする請求項１または請求項２に記載の体重体組成計。
【請求項４】
前記携帯情報端末は、前記体重計から受信した前記体重値から前記携帯情報端末の重量を差し引いて表示することが可能とされていることを特徴とする請求項１ないし請求項３のいずれかに記載の体重体組成計。
【請求項５】
前記携帯情報端末は、前記被検体が着用している衣服の重量を前記体重値から差し引いて表示することが可能とされていることを特徴とする請求項１ないし請求項４のいずれかに記載の体重体組成計。
【発明の詳細な説明】
【技術分野】
【０００１】
本発明は、被検体の体重及び体組成値を測定、表示する体重体組成計に関する。
【背景技術】
【０００２】
従来より被検体の体重を測定する器具として体重計がある。また、体脂肪率等の生体情報を推定する際に用いられる両足間の生体インピーダンスをも併せて測定することのできる体重体組成計も開発されている。測定された被検体の体重やインピーダンス値は、体重計に設けられた表示手段に表示される。
【０００３】
但し、被検体は体重計に乗った状態で表示手段に表示された自身の体重等を確認することになるため、場合によっては確認することが困難なこともある。そこで、以下の特許文献１に記載された発明では、この表示手段を体重計本体から分離し、手元で確認することが可能とされている。
【０００４】
すなわち、特許文献１に記載の生体計測装置は、両足間の生体インピーダンスを計測する電極部と体重を計測する重量センサー部とを有する本体と、計測した結果等を表示する表示部を有する表示ボックスとが分離している生体計測装置において、本体は表示ボックスを収容する収容部を備える。しかもこの表示ボックスと本体との間は無線を使用して情報のやりとりを行う。このような構成を採用することによって、本体と表示ボックスとをつなぐコードがないこととも相まって、被検体は自身の体重等の情報を容易に確認することができるとともに、保管や収納が利便なものとなる、とされる。
【特許文献１】特許第３６８８１８４号公報
【発明の開示】
【発明が解決しようとする課題】
【０００５】
しかしながら、上記特許文献１に開示されている生体計測装置では、以下の点に配慮されていない。
【０００６】
被検体は自身の体重等の情報を手元の表示ボックスを見ることで確認することができるが、この表示ボックスはそもそも本体にあるべき表示手段を脱着可能にしたに過ぎない。従って、スタートキーを押して計測を開始すると表示ボックスに計測結果が表示される。ここで、体重等の被検体の身体的特徴を示す情報は高度な個人情報であると言え、みだりに第三者に見られるのは好ましくない。この点で被検体の手元で見やすくした構成がかえって個人情報の秘匿に関するセキュリティに欠けることとなっている。
【０００７】
また、上記特許文献１に記載の生体計測装置では表示ボックスに設けられている設定キーを使用して個人条件の設定登録を行った上で本体に設けられているスタートキーを押して計測を開始する。つまり、表示ボックスと本体とが揃わなければ被検体の体重等を測定することができず、よって体組成値を算出することもできない。さらには本体使用時に表示ボックスを紛失した等、手元にない場合には計測を開始しても計測結果を確認することもできない。
【０００８】
本発明は上記課題を解決するためになされたものであり、本発明の目的は、体重計本体に、体重計本体に設けられている表示手段とは別に測定結果等を表示することのできる表示手段を備える携帯情報端末を組み合わせ、体重計本体で直接測定することのできる被検体の情報以外の情報については携帯情報端末において一括管理、表示させることで、被検体の個人情報に対するセキュリティを確保するとともに利便性にも配慮した体重体組成計を提供することである。
【課題を解決するための手段】
【０００９】
本発明の実施の形態に係る特徴は、体重体組成計において、被検体の体重を測定するとともに測定された被検体の体重値を表示する体重計と、体重計で測定された体重値を受信し、体重値と予め記憶されている体重計では測定することのできない被検体に関する非測定情報とを基に被検体に関する体組成値を算出し表示する携帯情報端末とを備える。
【発明の効果】
【００１０】
本発明によれば、体重計本体に、体重計本体に設けられている表示手段とは別に測定結果等を表示することのできる表示手段を備える携帯情報端末を組み合わせ、体重計本体で直接測定することのできる被検体の情報以外の情報については携帯情報端末において一括管理、表示させることで、被検体の個人情報に対するセキュリティを確保するとともに利便性にも配慮した体重体組成計を提供することができる。
【発明を実施するための最良の形態】
【００１１】
以下、本発明の実施の形態について図面を参照して詳細に説明する。
【００１２】
図１に示すように、本発明の実施の形態における体重体組成計１は、被検体がその上に乗ることのよって被検体の体重及び生体インピーダンスを測定する本体２と、測定された情報等を基に被検体の体組成値を算出し表示する携帯情報端末３とから構成される。
【００１３】
本体２は、例えば図１に示すような形状をしており、被検体の両足を乗せる領域とこれらの領域に挟まれた領域に測定された被検体の体重を表示する体重表示手段とが設けられている。
【００１４】
図２は本体２の内部構成を示すブロック図である。本体２は、搭乗検知手段２ａと、電源スイッチ２ｂと、体重測定手段２ｃと、体重確定手段２ｄと、体重表示手段２ｅと、生体インピーダンス測定手段２ｆと、送信手段２ｇとからなる。搭乗検知手段２ａは、被検体が本体２に乗ったことを検知する。搭乗検知手段２ａが被検体の本体２への搭乗を検知すると、電源スイッチ２ｂに信号が送られ、本体２の電源がＯＮとなる。また、被検体が本体２から降りたことも搭乗検知手段２ａによって検知され、この場合には、電源スイッチ２ｂが電源をＯＦＦする。
【００１５】
体重測定手段２ｃはいわゆる重量センサであり、被検体の体重を測定する。体重測定手段２ｃは、図１において図示されていない本体２の裏面に設けられている。被検体が本体２上で動いていると体重測定手段２ｃはその動きに合わせてその時々の体重をそれぞれ測定する。体重確定手段２ｄは、被検体の動きが止まり測定値のぶれが小さくなり、ある値を所定の時間測定し測定値が安定したことをもって、その値を被検体の体重値として確定する。
【００１６】
測定され確定された体重の値は、体重表示手段２ｅに表示される。体重表示手段２ｅが携帯情報端末３とは独立して本体２に設けられていることから、携帯情報端末３の有無に拘わらず少なくとも体重計として単独に使用することができる。
【００１７】
生体インピーダンス測定手段２ｆは、被検体の両足に微弱な電流を流しこの抵抗値（インピーダンス値）を測定する。生体インピーダンス測定手段２ｆは、図１の本体２に示すように、その上面（被検体が両足を乗せる領域）に通電用電極と測定用電極を備えることによって設けられている。被検体がこれらに両足を接触させる（被検体がこれら電極上に乗る）ことによって被検体の生体インピーダンスが測定される。なお、体重測定手段２ｃは被検体が両足をこの領域に乗せて本体２の上に乗ることによって被検体の体重を測定することは言うまでもない。
【００１８】
測定された被検体の体重値と生体インピーダンス値の情報は、送信手段２ｇを介して携帯情報端末３へ送信される。送信手段２ｇは、どのような形式を採用しても構わないが、例えば赤外線信号をもって無線で携帯情報端末３へ情報を送信する。このように有線ではなく無線を利用して情報を送信する構成とすることで、本体２と携帯情報端末３とをつなぐ線があることによる収納の煩雑さを回避し、操作の利便性を向上させることができる。なお、本発明の実施の形態における本体２は測定結果を送信するのみで、例えば、携帯情報端末３から情報を受信することはない。
【００１９】
携帯情報端末３は、本体２から受信した被検体の体重値と生体インピーダンス値の情報と携帯情報端末３内に予め記憶されている体重計では測定することのできない被検体に関する非測定情報とを基に被検体に関する体組成値等を算出し表示する。この非測定情報は、携帯情報端末３内にのみ記憶され本体２内には記憶されていない。また、非測定情報の入力も携帯情報端末３を介してのみ行われる。なお、このような機能を備える物を本発明の実施の形態においては「携帯情報端末」と呼ぶが、その呼び方は表示ボックス等、どのようなものであっても構わない。
【００２０】
図３は、携帯情報端末３の全体を示す全体図である。携帯情報端末３は、被検体が、例えば両手で把持できるような形状をしている。中央正面に表示手段が設けられており、この表示手段を囲むように種々のボタン（入力手段３ｆ（図３ではその一部に符号を付している））が設けられている。なお、携帯情報端末３の形状は、任意の形状とすることができ、そのデザインは自由である。
【００２１】
表示手段には、本体２において測定された体重値や生体インピーダンス値、算出された被検体に関する体組成値等が表示される。図３に示す携帯情報端末３の表示手段には、「被検体１」についての「体脂肪率：１８．２％」と時刻が表示されている。なお、この表示手段における表示レイアウトは任意に定めることができる。
【００２２】
表示手段の左右に設けられている番号が振られたボタンは、特定の被検体ごとに割り振られたボタンである。例えば、Ａという人物に関する性別、年齢、身長等の非測定情報を設定しその情報をボタン「１」に割り振って記憶させると、後述するＲＡＭ３ｃや記憶手段３ｉ等の割り振られたエリアに記憶される。そして、以後Ａの測定された情報である体重値や算出された体組成値もこれら各ボタンごとに割り振られたエリアに記憶されることになる。なお、このようにボタンごとに記憶エリアを割り振らずに、後述するＲＡＭ３ｃや記憶手段３ｉ等においてまとめて記憶されるようにしても良い。
【００２３】
また、記憶される体重値や体組成値も最新の値だけではなく、過去複数回の体重値や体組成値を記憶しておき、必要に応じて呼び出すことができるようにしても良い。このように複数の体重値や体組成値を記憶しておき参照することができるようにしておくことで、被検体が自身の体重値の変動に基づく体組成値の変動を確認することができる。
【００２４】
そして「１」のボタンを押すことによってＡに関する情報を記憶させたり表示手段に表示させたりすることができる。なお、「ゲスト」ボタンは不特定の被検体や５人家族の場合に体重体組成計１を使用する際に使用するボタンである。
【００２５】
表示手段の下には、表示手段に表示させる体組成値の項目、数値を変更したり、或いは、被検体の非測定情報を入力、設定する際に用いられるボタンが並んでいる。
【００２６】
図４は、携帯情報端末３の内部構成を示すブロック図である。携帯情報端末３は、ＣＰＵ（Central Processing Unit）３ａと、ＲＯＭ(Read Only Memory)３ｂと、ＲＡＭ（Random Access Memory）３ｃ及び入出力インターフェイス３ｄがバス３ｅを介して接続されている。入出力インターフェイス３ｄには、入力手段３ｆと、表示手段３ｇと、通信制御手段３ｈと、記憶手段３ｉとが接続されている。
【００２７】
ＣＰＵ３ａは、入力手段３ｆからの入力信号に基づいてＲＯＭ３ｂから携帯情報端末３を起動するためのブートプログラムを読み出して実行し、記憶手段３ｉに格納されている各種オペレーティングシステムを読み出す。さらにＣＰＵ３ａは、入力手段３ｆや入出力インターフェイス３ｄを介して、図１或いは図４においては図示していない外部機器からの入力信号に基づいて各種装置の制御を行ったり、ＲＡＭ３ｃや記憶手段３ｉ等に記憶されたプログラム及びデータを読み出してＲＡＭ３ｃにロードするとともに、ＲＡＭ３ｃから読み出されたプログラムのコマンドに基づいて、データの計算または加工等、一連の処理を実現する処理装置である。
【００２８】
入力手段３ｆは、携帯情報端末３を使用する被検体が各種の情報を入力するボタンによって構成されている。本発明の実施の形態における携帯情報端末３ではユーザの入力手段３ｆの操作に基づいて、例えば、被検体の生体に関する情報が入力信号として作成されバス３ｅを介してＣＰＵ３ａに送信される。また、図１或いは図４には示していないが、有線或いは無線を問わず入出力インターフェイス３ｄを介して、例えばパーソナルコンピュータ（ＰＣ）等の外部機器内にある被検体の生体情報を直接入力することもでき、これらも入力手段３ｆの一例として挙げることができる。表示手段３ｇは、例えば液晶ディスプレイであり、例えばＣＰＵ３ａからバス３ｅを介して出力信号を受信し、ＣＰＵ３ａが算出した体組成値等の各種処理結果を表示する手段である。
【００２９】
通信制御手段３ｈは、ＬＡＮカードやモデム等の手段であり、携帯情報端末３をインターネットやＬＡＮ等の通信ネットワークに接続することを可能とする手段である。この通信制御手段３ｈを使用することで、ＰＣ等の外部機器に情報を送信し、その外部機器において、例えば、体組成値の管理を行う等、することができる。通信制御手段３ｈを介して通信ネットワークと送受信したデータは入力信号または出力信号として、入出力インターフェイス３ｄ及びバス３ｅを介してＣＰＵ３ａに送受信される。
【００３０】
記憶手段３ｉは、半導体や磁気ディスクで構成されており、ＣＰＵ３ａで実行されるプログラムやデータが記憶されている。また、入力手段３ｆ（ボタン）を使用して入力された各被検体の非測定情報やこの非測定情報と測定された情報、すなわち体重値とを用いて算出された体組成値等の情報は、被検体ごとに分けて記憶されている。
【００３１】
次に、被検体の体重等の測定から携帯情報端末３への表示までの流れを図５に示すフローチャートを使用して説明する。なお、フローチャート中、左側が本体２（図５においては「体重計」と表示）の動きを示し、右側が携帯情報端末３の動きを示している。
【００３２】
まず、本体２の搭乗検知手段２ａが被検体が本体２に乗ったことを検知する（ＳＴ１）。ここで「被検体」とは、原則として本体２である体重計を使用する人を想定している。検知が行われることによって本体（体重計）２の電源スイッチ２ｂに検知信号が送られ電源がＯＮされる（ＳＴ２）。なお、本発明の実施の形態においては、このように搭乗検知手段２ａが被検体が本体２上に乗ったことを検知し電源をＯＮさせる構成としているが、別途電源スイッチを設け、被検体自らが本体２に乗る前にＯＮとすることで電源を投入する構成としても良い。
【００３３】
電源がＯＮされると、体重測定手段２ｃは乗っている被検体の体重を測定する（ＳＴ３）。測定が開始されると、送信手段２ｇを介して携帯情報端末３に向けて無線で測定している体重の値を送信する（ＳＴ４）。
【００３４】
一方、被検体は携帯情報端末３の表示手段３ｇに体重の値等を表示させるために、図３には図示しない携帯情報端末３の電源をＯＮする（ＳＴ５）。携帯情報端末３の電源をＯＮする方法は、例えば、電源スイッチを入れる、或いは、充電器から取り上げると自動的に電源がＯＮとなる等、どのような方法であっても良い。このとき、本体２は上述したように測定している体重の値を送信しているが、この状態ではまだ携帯情報端末３はそのデータを受信してはいない。
【００３５】
その後、被検体が自らの情報が記憶され割り当てられているボタン（図３に示す「１」ないし「４」或いは「ゲスト」のボタン）を押す（ＳＴ６）。このボタン（入力手段３ｆ）が押されたことで、被検体が選択されたことになる。従って、この入力手段３ｆが被検体の選択手段としての役割を果たす。被検体が選択されたこと（入力手段３ｆが押されたこと）をＣＰＵ３ａが検知して、初めて通信制御手段３ｆを介して本体２からの情報（体重の値）を受信する（ＳＴ７）。このような操作手順を採用することにより、測定された被検体の体重や体組成値を携帯情報端末３に表示させるタイミングを自ら決定することができる。そのため、これまでのように測定や算出が終了すると自動的に体重や体組成値が表示され、表示手段の近くにいる第三者に開示されることがなくなり、個人情報に対するセキュリティは万全となる。
【００３６】
携帯情報端末３が本体２において測定されている体重の値を受信し、しかもまだその体重の値が確定されない間は表示手段３ｇに表示される数字が定まらない等、表示態様を工夫することによって体重値を測定中である旨、被検体に知らせることができる。
【００３７】
また、本発明の実施の形態においては、このときに重量減算の指示があるか否かが判断される（ＳＴ８）。この「重量減算指示」とは、測定された被検体の体重値から、例えば、携帯情報端末３の重量や被検体が着用している衣服の重量を差し引いて表示させるための指示のことである。この指示があった場合には（ＳＴ８のＹＥＳ）、予め決められた重量が測定された被検体の体重値から引いて表示されるようになる（ＳＴ９）。
【００３８】
体重測定手段２ｃによって測定されている被検体の体重は、体重確定手段２ｄによって確定される（ＳＴ１０）。本体２上に乗っている被検体が動いていると、体重測定手段２ｃが測定する体重値もその動きに従って変動する。この変動が収束し、例えば、ある値を所定時間測定した場合やその変動が予め定められた範囲内に収まった場合に体重確定手段２ｄが測定対象となっている被検体の体重を表わすものとして確定する。なお、この確定の方法については、どのような方法を採用しても構わない。
【００３９】
確定された被検体の体重は、体重表示手段２ｅに表示されるとともに、送信手段２ｇを介して携帯情報端末３に送信される。この確定された体重値を受信した携帯情報端末３では、重量減算指示の有無に従って所定値を減算した上で体重値を表示手段３ｇに表示する（ＳＴ１１）。
【００４０】
一方、本体２では、体重確定手段２ｄが被検体の体重を確定すると生体インピーダンス測定手段２ｆに対して体重が確定されたことを通知する。この通知に基づいて生体インピーダンス測定手段２ｆは、被検体の両足に微弱な電流を流して被検体の生体インピーダンスの値を測定する（ＳＴ１２）。この生体インピーダンスの測定方法は、既知の方法が採用される。
【００４１】
生体インピーダンス測定手段２ｆが生体インピーダンスの値を測定すると、送信手段２ｇを介してこの値も携帯情報端末３に向けて送信される（ＳＴ１３）。生体インピーダンス値を受信した携帯情報端末３は（ＳＴ１４）、記憶手段３ｉに記憶されている非測定情報と受信した被検体の体重値、生体インピーダンス値を基にして体組成値を算出する（ＳＴ１５）。この算出は、例えば、記憶手段３ｉに記憶されている算出手順を定めたソフトウェア等を用いることによって行われる。体組成値の例としては、例えば、「体脂肪」、「ＢＭＩ（Body Mass Index）」、「体水分」、「筋肉」、「基礎代謝」、「骨量」、「内臓脂肪」、「体重」等が挙げられる。どのような項目を体組成値として算出し表示させるかは、予め定めることができる。
【００４２】
算出された体組成値は、表示手段３ｇに表示される（ＳＴ１６）。また、これらの各項目は、例えば、携帯情報端末３の「▼ボタン」を押すことによって順次表示させることができる。
【００４３】
本体２では、測定された生体インピーダンス値を携帯情報端末３へ送信すると、その被検体について測定する項目が終了する。従って、被検体は本体２から降りることになる。被検体が本体２から降りたことは搭乗検知手段２ａが検知し（ＳＴ１７）、この検知したことを示す信号が電源スイッチ２ｂに送られ、電源スイッチ２ｂは本体２の電源をＯＦＦにする（ＳＴ１８）。なお、電源スイッチ２ｂは、搭乗検知手段２ａからの信号を受けてすぐに電源をＯＦＦにしても、或いは、所定時間が経過した後に電源をＯＦＦするような構成にしても良い。
【００４４】
このように、体重計本体に、体重計本体に設けられている表示手段とは別に測定結果等を表示することのできる表示手段を備える携帯情報端末を組み合わせ、体重計本体で直接測定することのできる被検体の情報以外の情報については携帯情報端末において一括管理、表示させることで、被検体の個人情報に対するセキュリティを確保するとともに利便性にも配慮した体重体組成計を提供することができる。
【００４５】
すなわち、本体と携帯情報端末とにそれぞれ表示手段を設けることで、本体の体重表示手段には被検体を直接測定することで得ることができる値（体重値）のみを表示させることができる。従って、その他の被検体に関する体組成値（個人情報）は携帯情報端末にのみ表示させることになるため、特に本体を使用する被検体が多い場合に携帯情報端末を本体とは離れて置いておくことによって通常その本体を使用する被検体の個人情報が漏洩する危険性を減らすことができる。また、上述したように本体に乗った被検体が携帯情報端末のボタン（「１」ないし「４」、或いは「ゲスト」ボタン）を押さなければ本体が計測した体重値等の情報を受信しないので、この点でもセキュリティを万全にすることができる。
【００４６】
なお、この発明は、上述実施の形態そのままに限定されるものではなく、実施段階ではその要旨を逸脱しない範囲で構成要素を変形して具体化できる。本発明の実施の形態では、本体と携帯情報端末とは１対１の関係にあることを前提に説明を行ったが、１つの本体に対して被検体ごとに複数の携帯情報端末が存在する構成としても良い。また、上記実施の形態に開示されている複数の構成要素を適宜組み合わせることにより種々の発明を形成できる。例えば、実施の形態に示される全構成要素から幾つかの構成要素を削除してもよく、異なる実施の形態に亘る構成要素を適宜組み合わせてもよい。
【図面の簡単な説明】
【００４７】
【図１】本発明の実施の形態に係る体重体組成計を示す全体図である。
【図２】本発明の実施の形態に係る本体の内部構成を示すブロック図である。
【図３】本発明の実施の形態に係る携帯情報端末を示す全体図である。
【図４】本発明の実施の形態に係る携帯情報端末の内部構成を示すブロック図である。
【図５】本発明の実施の形態に係る被検体の体重等の測定から携帯情報端末への表示までの流れを示すフローチャートである。
【符号の説明】
【００４８】
１  …体重体組成計
２  …本体
２ａ…搭乗検知手段
２ｂ…電源スイッチ
２ｃ…体重測定手段
２ｄ…体重確定手段
２ｅ…体重表示手段
２ｆ…生体インピーダンス測定手段
２ｇ…送信手段
３  …携帯情報端末
【図１】
2009165695.tif 000003
【図２】
2009165695.tif 000004
【図３】
2009165695.tif 000005
【図４】
2009165695.tif 000006
【図５】
2009165695.tif 000007